(57)【特許請求の範囲】
【請求項１】
物品の定額制の交換を可能とする定額制の交換システムであって、
交換の対象物に具備する記憶手段と、
前記対象物の記憶手段の情報を読み込む読み込み手段と、
前記対象物の記憶手段に情報を書き込む書込み手段と、
情報を処理する処理手段と、
からなり、
前記対象物の記憶手段から利用期限に関する情報である利用期限情報を読込手段を用いて読み込むステップと、
前記読み込んだ利用期限情報を基に交換条件を満たすかを判別するステップと、
交換条件を満たす場合は、読み込んだ利用期限情報を基にした利用期限情報を前記交換の対象物の記憶手段に書き込むステップと、
を行うことが可能なことを特徴とする、
定額制の交換システム。
【請求項２】
物品の定額制の交換方法であって、
交換の対象物に具備する記憶手段と、
前記対象物の記憶手段の情報を読み込む読み込み手段と、
前記対象物の記憶手段に情報を書き込む書込み手段と、
情報を処理する処理手段と、
からなる交換システムを用い、
前記対象物の記憶手段から利用期限に関する情報である利用期限情報を読込手段を用いて読み込むステップと、
前記読み込んだ利用期限情報を基に交換条件を満たすかを判別するステップと、
交換条件を満たす場合は、読み込んだ利用期限情報を基にした利用期限情報を前記交換の対象物の記憶手段に書き込むステップと、
を含むことを特徴とする、
物品の定額制の交換方法。
【請求項３】
２次電池の定額制の交換を可能とする定額制の２次電池の交換システムであって、
２次電池に具備する記憶手段と、
前記記憶手段の情報を読み込む読み込み手段と、
前記記憶手段に情報を書き込む書込み手段と、
情報を処理する処理手段と、
からなり、
前記２次電池の記憶手段から利用期限に関する情報である利用期限情報を読込手段を用いて読み込むステップと、
読み込んだ前記利用期限情報を基に交換条件を満たすかを判別するステップと、
交換条件を満たす場合は、読み込んだ利用期限情報を基にした利用期限情報を前記２次電池の記憶手段に書き込むステップと、
を行うことが可能なことを特徴とする、
定額制の２次電池の交換システム。
【請求項４】
２次電池の定額制の交換を可能とする定額制の交換方法であって、
２次電池に具備する記憶手段と、
前記記憶手段の情報を読み込む読み込み手段と、
前記記憶手段に情報を書き込む書込み手段と、
情報を処理する処理手段と、
からなる２次電池の交換システムを用い、
前記２次電池の記憶手段から利用期限に関する情報である利用期限情報を読込手段を用いて読み込むステップと、
読み込んだ前記利用期限情報を基に交換条件を満たすか判別するステップと、
交換条件を満たす場合は、読み込んだ利用期限情報を基にした利用期限情報を前記２次電池の記憶手段に書き込むステップと、
を含むことを特徴とする、
定額制２次電池の交換方法。
【発明の詳細な説明】
【技術分野】
【０００１】
本発明は、物品と物品とを定額制で交換する交換システムに関するものである。
【背景技術】
【０００２】
２次電池に記憶手段を設け、バッテリ装置に関するデータ（電池残量に係るデータや利用期限情報など）と電子機器本体に関するデータを記憶すること、本体部を経由して複数の電池部の間で各種データの交換や受け渡すこと、が可能な物がある。（例えば、特許文献１参照）
【０００３】
電池充電処理システムにおいて、ＩＣカードと電池情報を記憶する手段を備えた２次電池とを電池充電処理装置に投入し、２次電池の交換を行う物がある。（例えば、特許文献２参照）
【０００４】
ＩＣカードにサービスに関する利用履歴や利用条件に関する情報を記憶させておき、ＩＣカードから読み出した上記の情報に基づいて利用可能なサービスを判定するという手法がある。（例えば、特許文献３）
【先行技術文献】
【特許文献】
【０００５】
【特許文献１】特開２００３−２７２７１６
【特許文献２】特開平９−１５３３７６
【特許文献３】特開２００４−２８７５１１
【発明の概要】
【発明が解決しようとする課題】
【０００６】
本発明の交換システムは、交換システムをサービスとして利用者に提供する際に、サービスの実施者側の交換を容易且つ確実にすることと、サービスの利用者の利便性を高めることと、を課題としている。
【０００７】
また、より利用者の利便性を高めるサービスとして、定額制のサービスを行えるようにすることも課題としている。
【課題を解決するための手段】
【０００８】
課題を解決するための請求項１記載の定額制の交換システムは、物品の定額制の交換を可能とする定額制の交換システムであって、
交換の対象物に具備する記憶手段と、
前記対象物の記憶手段の情報を読み込む読み込み手段と、
前記対象物の記憶手段に情報を書き込む書込み手段と、
情報を処理する処理手段と、
からなり、
前記対象物の記憶手段から利用期限に関する情報である利用期限情報を読込手段を用いて読み込むステップと、
前記読み込んだ利用期限情報を基に交換条件を満たすかを判別するステップと、
交換条件を満たす場合は、読み込んだ利用期限情報を基にした利用期限情報を前記交換の対象物の記憶手段に書き込むステップと、
を前記定額制の交換システムが行うことが可能なことを特徴としている。
【０００９】
課題を解決するための請求項２記載の物品の定額制の交換方法は、
物品の定額制の交換方法であって、
交換の対象物に具備する記憶手段と、
前記対象物の記憶手段の情報を読み込む読み込み手段と、
前記対象物の記憶手段に情報を書き込む書込み手段と、
情報を処理する処理手段と、
からなる交換システムを用い、
前記対象物の記憶手段から利用期限に関する情報である利用期限情報を読込手段を用いて読み込むステップと、
前記読み込んだ利用期限情報を基に交換条件を満たすかを判別するステップと、
交換条件を満たす場合は、読み込んだ利用期限情報を基にした利用期限情報を前記交換の対象物の記憶手段に書き込むステップと、
を含むことを特徴としている。
【００１０】
課題を解決するための請求項３記載の定額制の２次電池の交換システムは、
２次電池の定額制の交換を可能とする定額制の２次電池の交換システムであって、
２次電池に具備する記憶手段と、
前記記憶手段の情報を読み込む読み込み手段と、
前記記憶手段に情報を書き込む書込み手段と、
情報を処理する処理手段と、
からなり、
前記記憶手段から利用期限に関する情報である利用期限情報を読込手段を用いて読み込むステップと、
読み込んだ前記利用期限情報を基に交換条件を満たすかを判別するステップと、
交換条件を満たす場合は、読み込んだ利用期限情報を基にした利用期限情報を前記２次電池の記憶手段に書き込むステップと、
を前記定額制の２次電池の交換システムが行うことが可能なことを特徴としている。
【００１１】
課題を解決するための請求項４記載の定額制の２次電池の交換方法は、
２次電池の定額制の交換を可能とする定額制の２次電池の交換方法であって、
２次電池に具備する記憶手段と、
前記記憶手段の情報を読み込む読み込み手段と、
前記記憶手段に情報を書き込む書込み手段と、
情報を処理する処理手段と、
からなる２次電池の交換システムを用い、
前記記憶手段から利用期限に関する情報である利用期限情報を読込手段を用いて読み込むステップと、
読み込んだ前記利用期限情報を基に交換条件を満たすかを判別するステップと、
交換条件を満たす場合は、読み込んだ利用期限情報を基にした利用期限情報を前記２次電池の記憶手段に書き込むステップと、
を含むことを特徴としている。
【発明の効果】
【００１２】
上述のように本発明の交換システムは、交換の対象物（２次電池）自体が交換システムの利用対象であることを証明する物となり、交換の対象物（使用済みの２次電池）から交換の対象物（充電済みの２次電池）への利用期限情報の移行が可能である。このことにより、サービスの実施者側は交換の対象物（２次電池）のみで交換を行うことができ、交換条件を満たすかの判別および利用期限情報の移行を交換システムが行うため、交換が容易且つ確実になる。利用者は交換の対象物（２次電池）のみを所持すれば交換サービスを受けることが可能となり利便性が高まる。また、交換条件を満たすかを、利用期限情報を基に判別することで定額の交換サービスが可能となり、より利用者の利便性が高まる。
【発明を実施するための形態】
【００１３】
交換の対象物に具備する記憶手段と、
前記対象物の記憶手段の情報を読み込む読み込み手段と、
前記対象物の記憶手段に情報を書き込む書込み手段と、
情報の処理手段と、
から、物品の交換システムを構成する。
読み込み手段と、書込み手段と、情報の処理手段と、は１つのものとして構成することが望ましい。
【００１４】
交換システムのうち、記憶手段（交換の対象物）は交換サービスを利用する側が所持し、書込み手段と、読み込み手段と、情報の処理手段と、は関連性をもつ機器として、交換サービスを実施する側が所持もしくは設置するものである。
【００１５】
情報の処理手段は、情報の処理を行えるものであればよい。例えばＣＰＵのようなものでよく、この限りでは無い。交換の対象物に具備する記憶手段が情報の処理能力を備える場合には、交換の対象物に具備する記憶手段が情報の処理手段を兼ねてもよい。
【００１６】
情報の処理手段は、読み込み手段が読み込んだ利用期限情報を基に、交換条件を満たすかの判別と、利用期限情報を書込み手段を用いて記憶手段に書き込む処理と、を行う。このとき、書込む情報の基となった利用期限情報は削除するか別の情報を上書きすることが望ましい。
【００１７】
情報の処理手段が処理や判別を行う為のプログラムは交換の対象物に具備する記憶手段に記憶しておいてもよいし、書込み手段、読み込み手段、処理手段、の少なくとも１つに記憶手段を具備し記憶してもよいし、交換の対象物に具備する記憶手段、書込み手段、読み込み手段、処理手段、とは別に記憶装置として記憶手段を交換システムに加え記憶してもよい。
【００１８】
記憶手段は、情報を記憶できるものであればよい。例えば、半導体による記憶手段や、磁気による記憶手段や、光学による記憶手段などがあり、情報を記憶できれば良くこの限りでは無い。周知のものとして、ＩＣチップ、フラッシュメモリ、磁気カード、磁気記憶装置、ホログラフィックメモリ、分子メモリなどがある。
【００１９】
交換の対象物に記憶手段を具備する際は着脱不可能とすることが望ましいが、直脱可能でもよい。記憶手段を具備する方法としては、着脱不可能とする場合は交換の対象物自体がもつ性能を失わないように、交換の対象物に埋設し着脱不可能としたり、交換の対象物に接着し着脱不可能としたり、交換の対象物の包装の一部とし着脱不可能としたり、すればよくこの限りではなく記憶手段を着脱不可能な状態で具備できればよい、着脱可能とする場合は、交換の対象物にケースを付加するようにし、ケースに記憶手段を、埋設したり、接着したり、することで着脱可能としたり、交換の対象物に記憶手段の設置部を設け着脱可能としたり、すればよくこの限りではなく記憶手段を着脱可能な状態で具備できればよい。
【００２０】
交換の対象物に具備する記憶手段は、利用期限情報を記憶する。
【００２１】
利用期限情報は交換サービスを利用できる期限の事である。例えば、交換サービスの利用を開始した日を開始日、交換サービスを利用できる期間の終了日を終了日、交換サービスを利用できる日数を日数とすると、利用期限情報は、開始日と終了日を関連付けたものや、終了日や、開始日と日数を関連付けたものや、などである、ただしこの限りではなく交換サービスを利用できる期限に関するものであればよい。またこのときの開始日、終了日、日数、は時や分や秒などの時間の単位などでより細かく設定してもよい。
【００２２】
利用期限情報は例えば、２０１１年２月２０日０時００分から２０１１年２月２８日０時００分までを利用期限とする場合は、開始日は２０１１年２月２０日０時００分となり、終了日は２０１１年２月２８日０時００分となり、日数は８日となる。
【００２３】
読み込み手段は、記憶手段から情報を読み込めるものであればよい。接触型の読み込み手段、非接触型の読み込み手段、などの種類があり、磁気メモリから情報の読み込みを行う読み込み手段、半導体メモリから情報の読み込みを行う読み込み手段、などから記憶手段に応じて最適のものを用いれば良くこの限りではない。周知のものとして、ＩＣリーダ、磁気リーダ、などがある。
【００２４】
書込み手段は、記憶手段に情報の書込みを行えるものであればよい。例えば接触型の書込み手段、非接触型の書込み手段、などの種類があり、磁気メモリに情報の書込みを行う書込み手段、半導体メモリに情報の書込みを行う書込み手段、などから記憶手段に応じて最適のものを用いれば良くこの限りではない。周知のものとして、ＩＣライタ、磁気ライタなどがある。
【００２５】
処理手段が書込み手段を用いて書き込む情報は、読み込み手段を用いて読み込んだ情報を基にしたものである。
【００２６】
読み込み手段が読み込んだ利用期限情報が利用期限情報であった場合、処理手段は利用期限情報を書き込む処理を行う。書き込む情報は例えば、基の利用期限情報が終了日であり、終了日が２０１０年２月１日であった場合は、利用期限情報として、終了日が２０１０年２月１日であるという情報を書き込む、利用期限情報が開始日と日数であり、開始日が２０１０年１月１日、日数が１０日であった場合は、利用期限情報として、開始日が、２０１０年１月１日、日数が１０日であるという情報を書き込む、また、開始日と日数から終了日を算出し開始日と日数を終了日に変更して書き込むなど利用期限情報を基に情報を変更し書き込んでもよい。
【００２７】
交換条件を満たすか、の判別は、記憶手段が利用期限情報を記憶する場合は例えば、年月日や時刻の管理方法により交換システムが年月日や時刻を管理するようにし、交換システムが管理する年月日や時刻と、読み込んだ利用期限情報と、を処理手段が比較し判別する。例えば、利用期限情報が終了日を含む情報である場合は、終了日と、交換システムが管理する年月日や時刻を比較し終了日を過ぎていないかを判別する、利用期限情報が開始日と日数を関連付けたものである場合は、開始日に日数を加算し、加算したあとの年月日や時刻を終了日として、判別手段が管理する年月日や時刻と比較し終了日を過ぎていないかを判別する。年月日や時刻の管理方法としてはパソコンなどのコンピュータに用いられているようなものや、携帯電話に用いられているようなものなど周知のものから最適のものを用いればよい。
【００２８】
記憶手段が、利用期限情報を記憶する場合の処理手段の判別結果の一例として、交換システムの利用場所が日本で、日本の年月日が、２０１０年１月３１日の場合で説明する。２次電池の記憶手段が記憶する利用期限情報としての終了日が２０１０年２月１日であった場合は交換可能という判別になり、記憶手段が記憶する利用期限情報としての終了日が２０１０年１月３０日であった場合は交換不可能という判別になり、記憶手段が記憶する利用期限情報としての開始日が２０１０年１月１日、日数が１０日であった場合は交換不可能という判別になり、２次電池の記憶手段が記憶する利用期限情報としての開始日が２０１０年１月１日、日数が４０日であった場合は交換可能という判別になる。ここでは例として年月日のみを用いて説明したが、より細かく時刻までを設定し判別しても良いし、年のみや、月のみや、日のみや、年月のみや、月日のみや、など大まかに設定しても良い。
【実施例１】
【００２９】
交換システムを、
２次電池を交換の対象物とし、記憶手段としてＩＣチップを２次電池に具備し、
２次電池のＩＣチップに情報を書き込む書込み手段としてのＩＣライタと、
２次電池のＩＣチップの情報を読み込む読み込み手段としてのＩＣリーダと、
処理手段としてのＣＰＵと、
から構成し、
２次電池の交換システムを構成する。
ＩＣライタとＩＣリーダとＣＰＵとは１つの機器として構成することが望ましい。
【００３０】
処理手段は使用済みの２次電池からＩＣリーダを用いて利用期限情報を取得し、取得した利用期限情報を基に、交換条件を満たすかの判別と、書込み手段を用いて充電済みの２次電池に使用済みの２次電池から取得した利用期限情報を基にした利用期限情報を書き込む処理と、を行う。この時情報の書き込みは、判別手段による判別結果が交換可能であった場合にのみ可能とすることがより望ましい。
【００３１】
ＩＣチップを具備した２次電池にＩＣチップの情報をより確実に送受信できるように情報の送受信用のアンテナを具備してもよい。
【００３２】
２次電池は、充電が可能な電池であればよく、形状や、種類などを限定するものではない。例えば、形状としては、車両に搭載されているようなもの、携帯型の機器に搭載されているようなもの、乾電池型のもの、ボタン型のものなどがあり、種類としては、リチウムイオン、ニッケル水素などがあり、形状、および、種類、は交換サービスの実施に最適なものを用いればよくこの限りではない。
【００３３】
２次電池にＩＣチップを具備する際は着脱不可能とすることが望ましいが、直脱可能でもよい。記憶手段を具備する方法としては、着脱不可能とする場合は２次電池としての性能を失わないように、２次電池に埋設し着脱不可能としたり、２次電池に接着し着脱不可能としたり、２次電池の包装の一部とし着脱不可能としたり、すればよくこの限りではなく記憶手段を着脱不可能な状態で具備できればよい、着脱可能とする場合は、２次電池にケースを付加するようにし、ケースに記憶手段を、埋設したり、接着したり、することで着脱可能としたり、２次電池に記憶手段の設置部を設け着脱可能としたり、すればよくこの限りではなくＩＣチップを着脱可能な状態で具備できればよい。
【００３４】
２次電池に具備されるＩＣチップは利用期限情報を記憶する。
【００３５】
利用期限情報は交換サービスを利用できる期限の事である。例えば、交換サービスの利用を開始した日を開始日、交換サービスを利用できる期間の終了日を終了日、交換サービスを利用できる日数を日数とすると、利用期限情報は、開始日と終了日を関連付けたものや、終了日や、開始日と日数を関連付けたものや、などである、ただしこの限りではなく交換サービスを利用できる期限に関するものであればよい。またこのときの開始日、終了日、日数、は時や分や秒などの時間の単位などでより細かく設定してもよい。
【００３６】
利用期限情報は例えば、２０１１年２月２０日０時００分から２０１１年２月２８日０時００分までを利用期限とする場合は、開始日は２０１１年２月２０日０時００分となり、終了日は２０１１年２月２８日０時００分となり、日数は８日となる。
【００３７】
交換条件を満たすか、の判別は、ＩＣチップが利用期限情報を記憶する場合は例えば、年月日や時刻の管理方法により交換システムが年月日や時刻を管理するようにし、交換システムが管理する年月日や時刻と、読み込んだ利用期限情報と、をＣＰＵが比較し判別する。例えば、利用期限情報が終了日を含む情報である場合は、終了日と、交換システムが管理する年月日や時刻を比較し終了日を過ぎていないかを判別する、利用期限情報が開始日と日数を関連付けたものである場合は、開始日に日数を加算し、加算したあとの年月日や時刻を終了日として、判別手段が管理する年月日や時刻と比較し終了日を過ぎていないかを判別する。年月日や時刻の管理方法としてはパソコンなどのコンピュータに用いられているようなものや、携帯電話に用いられているようなものなど周知のものから最適のものを用いればよい。
【００３８】
ＩＣチップが、利用期限情報を記憶する場合のＣＰＵの判別結果の一例として、交換システムの利用場所が日本で、日本の年月日が、２０１０年１月３１日の場合で説明する。ＩＣチップが記憶する利用期限情報としての終了日が２０１０年２月１日であった場合は交換可能という判別になり、ＩＣチップが記憶する利用期限情報としての終了日が２０１０年１月３０日であった場合は交換不可能という判別になり、ＩＣチップが記憶する利用期限情報としての開始日が２０１０年１月１日、日数が１０日であった場合は交換不可能という判別になり、ＩＣチップが記憶する利用期限情報としての開始日が２０１０年１月１日、日数が４０日であった場合は交換可能という判別になる。ここでは例として年月日のみを用いて説明したが、より細かく時刻までを設定し判別しても良いし、年のみや、月のみや、日のみや、年月のみや、月日のみや、など大まかに設定しても良い。
【実施例２】
【００３９】
交換システムに判別結果の表示手段と新たに交換システムを利用する際もしくは利用期限情報を変更する際に利用期限情報を書き込む第２の書込み手段を加え、交換システムとする。交換システムの交換対象物が２次電池の場合２次電池の充電手段も加えることがより望ましい。
【００４０】
第２の書込み手段は２次電池の交換システムに用いられている書込み手段とは別に具備することが望ましいが、交換システムに用いられている書込み手段を第２の書込み手段として用いてもよい。
【００４１】
第２の書込み手段は、新たに２次電池の交換システムを利用する際もしくは利用期限情報を変更する際に、２次電池の記憶手段に利用期限情報を書き込むための手段である。ここでいう新たとは、一度も交換サービスを利用したことが無く初めて交換サービスを利用する場合、交換サービスの利用を止め再度交換サービスの利用を開始する場合、交換サービスの利用を行っている２次電池とは別の２次電池で利用を開始する場合、などである。
【００４２】
充電手段は、２次電池の充電が可能であればよく、接触方式のもの、非接触方式のものなど周知のものがあり最適なものを用いればよくこの限りでは無い。
【００４３】
実施例２の交換システムを利用した交換サービスについて説明する。
【００４４】
実施例２の交換システムを利用した交換サービスは、交換サービスの実施者が交換システムを利用して交換を行うものである。
【００４５】
実施例１の交換システムに表示手段を加えた場合の利用の流れを説明する、交換サービスの実施者は使用済みの２次電池を交換サービスの利用者から受け取ると、受け取った使用済みの２次電池を交換システムのＩＣリーダ/ライタの読み込み/書込み位置に持っていき、利用期限情報の読み込み、判別、書込みを行う。表示手段が表示する判別結果が交換可能であった場合、書込みを行った充電済みの２次電池を利用者に渡し、表示手段が表示する判別結果が交換不可能であった場合、受け取った使用済みの２次電池を利用者に返却する。
【００４６】
利用期限情報の読み込み及び書込みは、記憶手段を近づけることで、自動で開始するようにしてもよいし、交換サービスの実施者による操作のあと開始されるようにしてもよい。実施者の操作のあと開始するようにする場合には、操作手段を交換システムに加える。また、利用期限情報の書込みは判別手段の判別結果が交換可能であった場合にのみ可能とする。操作手段はタッチパネルやスイッチやキーボードなど周知のものから操作に最適なものを用いればよくこの限りでは無い。
【００４７】
利用者が交換サービスを利用する際の例を、利用者が交換サービスを新たに利用する際に記憶手段に、交換サービスの利用期限情報がすでに書き込まれている場合と、利用期限情報が書き込まれていない場合と、の２つの場合について説明する。
【００４８】
利用者が交換サービスを新たに利用する際に２次電池に、交換サービスの利用期限情報がすでに書き込まれている場合の一例を説明する。
（イ）２次電池を取得する。
（ロ）２次電池を使用する。
（ハ）使用済みの２次電池と、充電済みの２次電池と、を、交換システムを用いて交換し充電済みの２次電池を取得する。
（ニ）２次電池に新たな交換システムの利用に関する利用期限情報を書き込む。
利用者は新たに交換システムを利用する際にのみ（イ）を行うことで、交換システムの利用条件を満たす間は、（ロ）と（ハ）を繰り返し行う事ができ、交換システムの利用条件を満たさなくなった場合は（ニ）を行うことで、再度（ロ）と（ハ）を交換システムの利用条件を満たす間は、繰り返し行う事ができるようになる。
【００４９】
利用者が交換サービスを新たに利用する際に取得する２次電池に。交換システムの利用に関する情報が書き込まれていない場合の一例を説明する。
（い）２次電池を取得する。
（ろ）２次電池を使用する。
（は）使用済みの２次電池と、充電済みの２次電池と、を、交換システムを用いて交換し充電済みの２次電池を取得する。
（に）２次電池に新たな交換システムの利用に関する利用期限情報を書き込む。
利用者は新たに交換システムを利用する際にのみ（い）と（に）を行うことで、交換システムの利用条件を満たす間は、（ろ）と（は）を繰り返し行う事ができ、交換システムの利用条件を満たさなくなった場合は（に）を行うことで、再度（ろ）と（は）を交換システムの利用条件を満たす間は、繰り返し行う事ができるようになる。
【実施例３】
【００５０】
交換の対象物を２次電池とし、実施例１および２の交換システムに交換手段と新たに交換システムを利用する際もしくは利用期限情報を変更する際に利用期限情報を書き込む第２の書込み手段を加え、交換装置とし、交換装置を利用した交換方法を説明する。交換装置の交換対象物が２次電池の場合２次電池の充電手段も加えることがより望ましい。
【００５１】
交換手段は、判別結果に基づき２次電池の交換を行うものである。交換手段は判別手段が交換条件を判別し交換条件を満たすと判別した場合に交換を行う。交換手段は例えば２次電池の挿入部を設け、挿入部に挿入した２次電池を格納部に格納する格納手段と、格納部から２次電池を搬出する搬出手段から構成すればよい。交換手段はこの限りではなく判別手段の判別結果に基づいて２次電池を交換できるものであればよい。２次電池の充電手段は２次電池の格納部に具備し、２次電池は格納部で充電可能とすることがより望ましい。
【００５２】
実施例３の交換装置を利用した交換サービスについて説明する。
【００５３】
実施例３の交換装置を利用した交換サービスは、交換サービスの利用者が交換装置を利用して交換を行うものである。
【００５４】
実施例１の交換システムに交換手段を加えた場合、交換サービスの利用者は使用済みの２次電池を挿入部に挿入し、利用期限情報の読み込み及び交換条件を満たすかの判別を行う。判別結果が交換可能であった場合、充電済みの２次電池に利用期限情報の書込みを行い、書込みを行った充電済みの２次電池を取得する、表示手段が表示する判別結果が交換不可能であった場合、挿入した使用済みの２次電池を取得する。
【００５５】
利用者が交換サービスを利用する際の例を、利用者が交換サービスを新たに利用する際に記憶手段に、交換サービスの利用期限情報がすでに書き込まれている場合と、利用期限情報が書き込まれていない場合と、の２つの場合について説明する。
【００５６】
利用者が交換サービスを新たに利用する際に２次電池に、交換サービスの利用期限情報がすでに書き込まれている場合の一例を説明する。
（イ）２次電池を取得する。
（ロ）２次電池を使用する。
（ハ）使用済みの２次電池と、充電済みの２次電池と、を、交換装置を用いて交換し充電済みの２次電池を取得する。
（ニ）２次電池に新たな交換システムの利用に関する利用期限情報を書き込む。
利用者は新たに交換システムを利用する際にのみ（イ）を行うことで、交換システムの利用条件を満たす間（ロ）と（ハ）を繰り返し行う事ができ、交換システムの利用条件を満たさなくなった場合は（ニ）を行うことで、再度（ロ）と（ハ）を交換システムの利用条件を満たす間、繰り返し行う事ができるようになる。
【００５７】
利用者が交換サービスを新たに利用する際に取得する２次電池に。交換システムの利用に関する情報が書き込まれていない場合の一例を説明する。
（い）２次電池を取得する。
（ろ）２次電池を使用する。
（は）使用済みの２次電池と、充電済みの２次電池と、を、交換装置を用いて交換し充電済みの２次電池を取得する。
（に）２次電池に新たな交換システムの利用に関する利用期限情報を書き込む。
利用者は新たに交換システムを利用する際にのみ（い）と（に）を行うことで、交換システムの利用条件を満たす間（は）と（ろ）を繰り返し行う事ができ、交換システムの利用条件を満たさなくなった場合は（に）を行うことで、再度（は）と（ろ）を交換システムの利用条件を満たす間、繰り返し行う事ができるようになる。